(57)【特許請求の範囲】
【請求項１】
複数の操作キーの領域を有すると共に実質的に平板状の操作シートと、
上記操作シートの少なくとも上記操作キーの領域の裏側に配置される下層部と、
を具備し、
上記操作シートと上記下層部とは区分け部を構成し、
上記区分け部は複数の上記操作キーの領域を隣り合う他の上記操作キーの領域と区分けするものであり、
上記区分け部は、上記操作キーの周囲の一部または全部を囲むように設けられ、上記操作シートの面に対して凸形状、凹形状または波形形状であり、
上記区分け部を構成する上記操作シートと上記下層部のうち、上記下層部の厚みを当該下層部の上記操作キーの領域の裏側の部分よりも薄くすることにより、上記区分け部の厚みは、上記操作キーの部位の厚みよりも薄く設けられている、
ことを特徴とするスイッチパネル。
【請求項２】
前記操作シートおよび前記下層部は、ともに樹脂材料から構成されることを特徴とする請求項１記載のスイッチパネル。
【発明の詳細な説明】
【技術分野】
【０００１】
本発明は、携帯電話、電卓、パーソナルコンピュータ、リモートコントローラ、家電等の操作キーを有する電子機器に使用されるスイッチパネルに関する。
【背景技術】
【０００２】
従来から、携帯電話等のスイッチパネルは、シリコーンゴム等の弾性の高い素材をスイッチパネルの下層部に使用することにより、スイッチを押した際に当該下層部が伸縮して十分なキーストロークが生じる構造となっている（第１の従来技術、例えば、特許文献１参照）。
【特許文献１】特開２００１−３５７７５０号公報（要約書等）
【０００３】
近年、薄型の操作キーの要求が強く、当該要求に応えるには、できるだけ薄い操作キーを複数配置するという方法（第２の従来技術）および平面フィルム状のメンブレンキーボードを使用する方法（第３の従来技術）が行われている。
【発明の開示】
【発明が解決しようとする課題】
【０００４】
しかし、上記のスイッチパネルには、次のような問題がある。上記第１の従来技術の場合には、高弾性を利用してキーストロークを確保しているため、該素材からなる部位に厚みが必要であり、スイッチパネルの薄型化が難しい。また、上記第２の従来技術の場合には、個別に操作キーを正確に配置することが難しい。さらに、上記第３の従来技術の場合には、薄いフィルムを使用するので、１つの操作キーを押した際に周囲の操作キーもひきずられて動くという問題がある。
【０００５】
本発明は、上記問題を解決するためになされたものであり、薄型で、操作キーの配置上の問題が無く、かつ操作キーの誤動作の少ないスイッチパネルを提供することを目的とする。
【課題を解決するための手段】
【０００６】
上記目的を達成するため、本発明は、複数の操作キーの領域を有すると共に実質的に平板状の操作シートと、操作シートの少なくとも操作キーの領域の裏側に配置される下層部と、を具備し、操作シートと下層部とは区分け部を構成し、区分け部は複数の操作キーの領域を隣り合う他の操作キーの領域と区分けするものであり、区分け部は、操作キーの周囲の一部または全部を囲むように設けられ、操作シートの面に対して凸形状、凹形状または波形形状であり、区分け部を構成する操作シートと下層部のうち、下層部の厚みを当該下層部の操作キーの領域の裏側の部分よりも薄くすることにより、区分け部の厚みは、操作キーの部位の厚みよりも薄く設けられているスイッチパネルとしている。
【０００７】
このため、操作シート上から操作キーの実質的な突出がなく、薄型のスイッチパネルを構築できる。加えて、操作キーを個別に配置する必要がないため、配置がずれる問題も生じない。また、操作キー同士の区分け部を非平面形状とし、その部分の厚さを、操作キーの厚さよりも薄くしているので、区分け部の伸縮を利用して各操作キーの正確な押し動作を実現できる。したがって、誤動作が少なくなる。
【０００８】
また、本発明は、区分け部を、操作シートの面に対して凸形状、凹形状または波形形状としたスイッチパネルとしている。このため、区分け部の伸縮が容易となる。また、操作シート上の各操作キーの場所を指の感触で把握しやすい。また、区分け部が操作シートとその下方の下層部とから構成される場合には、かかる形状の区分け部を有する操作シートおよび下層部を、それぞれ容易に成形することができる。
【００１０】
また、別の本発明は、先の各発明において、操作シートおよび下層部を、ともに樹脂材料から構成したスイッチパネルとしている。このため、下層部に弾性の高いゴム等を用いなくても、区分け部の伸縮を利用して操作キーの押し動作が可能となる。
【００１１】
本発明において、「操作キー」とは、押圧により信号を入力するための操作領域のことである。当該操作キーは、実質的に平板状の操作シート上の領域であれば、操作シートと同じ平面状である他、それよりも凹形状あるいは凸形状であってもよい。また、操作キーの表面に、シボ、ヘアライン、スピンカット、切削加工による金属調の装飾、目印や暗闇における指位置確認のための局所的な凹凸加工、シリンドリカル形状等の滑らかな凸状または凹状等を有していてもよい。
【００１２】
本発明において、「スイッチパネル」とは、操作キーを有する電子機器における操作盤のことである。このような電子機器における操作盤であれば、複数の操作キーを有する限り、その形状、設置状態、設置場所、設置目的等を問わず、本発明のスイッチパネルに含まれる。このようなスイッチパネルの例としては、携帯電話、電卓、リモートコントローラ、パーソナルディジタルアシスタンス（ＰＤＡ）、ラジオ、ＭＰ３プレーヤ等の小型電子機器の操作盤、パーソナルコンピュータ、ワードプロセッサ等のキーボードを有する電子機器の操作盤、エアーコンディショナ、インターホン等の壁面設置型の電子機器の操作盤、電子レンジ、オーブン、冷蔵庫、炊飯器、掃除機、ガスレンジ、電話機等の家電の操作盤、自動販売機、券売機等の商業用機械、管理システム等の産業用機械の操作盤を挙げることができる。
【００１３】
本発明において、「操作シート」とは、本発明のスイッチパネルの表面を覆う薄肉状のシートを意味する。当該操作シートは、本発明のスイッチパネルの表面を覆う形状を有している。操作シートは、複数の操作キーの領域と、その領域を区分けする貫通溝、あるいは区分け部を構成する部位を有している。なお、当該操作シートに、操作シートの機能を表す文字、数字、記号等の印刷あるいは装飾のための印刷、蒸着、塗装、エッチング等を施しても良い。また、操作シートの表面に、帯電防止処理、ハードコートあるいは光反射防止処理を施しても良い。
【００１４】
本発明の操作シートを形成する素材は、本発明の操作シートとして利用可能な限り特に限定されるものではない。本発明の操作シートを形成する素材としては、特に、熱可塑性樹脂が好ましい。このような熱可塑性樹脂としては、例えば、ポリエチレン（ＰＥ）、ポリプロピレン（ＰＰ）、ポリブチレン（ＰＢ）、アイオノマー、エチレン／酢酸ビニル樹脂（Ｅ／ＶＡＣ）、エチレン／ビニルアルコール樹脂（Ｅ／ＶＡＬ）、ポリメチルペンテン（ＰＭＰ）、環状オレフィン共重合体（ＣＯＣ）、塩素化ポリエチレン（ＰＥ−Ｃ）等のオレフィン系樹脂、ポリ塩化ビニル（ＰＶＣ）、ポリ塩化ビニリデン（ＰＤＶＣ）、エチレン／塩化ビニル樹脂（ＶＣ／Ｅ）、塩素化ポリ塩化ビニル（ＰＶＣ−Ｃ）等の塩化ビニル系樹脂、ポリスチレン（ＰＳ）、スチレン／アクリロニトリル樹脂（ＳＡＮ）、アクリロニトリル／ブタジエン／スチレン樹脂（ＡＢＳ）、ＡＡＳ樹脂、ＡＥＳ樹脂、ＡＣＳ樹脂、ＭＢＳ樹脂、スチレン／Ｎ−フェニルマレイミド樹脂、スチレン／無水マレイン酸樹脂等のスチレン系樹脂、ポリアクリロニトリル、ポリアクリルアミド、ポリアクリル酸、ポリメタクリル酸メチル（ＰＭＭＡ）等のアクリル樹脂、ポリアミド６（ＰＡ６）、ポリアミド６６（ＰＡ６６）、ポリアミド６１０（ＰＡ６１０）、ポリアミド６１２（ＰＡ６１２）、ポリアミド１２（ＰＡ１２）、ポリアミド１１（ＰＡ１１）、ポリアミド４６（ＰＡ４６）、ポリアミドＭＸＤ６（ＰＡ  ＭＸＤ６）、変性ポリアミド６Ｔ、モノマーキャスティングポリアミド等のポリアミド（ＰＡ）類、ポリエチレンテレフタレート（ＰＥＴ）、ポリブチレンテレフタレート（ＰＢＴ）、ポリエチレンナフタレート（ＰＥＮ）、ポリブチレンナフタレート（ＰＢＮ）、ポリシクロヘキシレンジメチレンテレフタレート（ＰＣＴ）等の熱可塑性ポリエステル類、ポリアセタール（ＰＯＭ）、ポリカーボネート（ＰＣ）、変性ポリフェニレンエーテル（ｍ−ＰＰＥ）等のポリフェニレンエーテル系樹脂、ポリフェニレンスルフィド（ＰＰＳ）、ポリテトラフルオロエチレン（ＰＴＦＥ）、テトラフルオロエチレン／ヘキサフルオロプロポレン共重合体（ＦＥＰ）、テトラフルオロエチレン／パーフルオロアルキルビニルエーテル共重合体、ポリクロロトリフルオロエチレン（ＰＣＴＦＥ）、エチレン／テトラフルオロエチレン共重合体（Ｅ／ＴＦＥ）、ポリフッ化ビニリデン（ＰＶＤＦ）、ポリフッ化ビニル（ＰＶＦ）等のフッ素樹脂類、液晶ポリエステル（ＬＣＰ）等の液晶ポリマー、ポリアクリレート（ＰＡＲ）、熱可塑性ポリイミド（ＴＰＩ）、ポリアミドイミド（ＰＡＩ）、ポリエーテルイミド（ＰＥＩ）等の熱可塑性イミド系樹脂、ポリケトン（ＰＫ）、ポリエーテルケトン（ＰＥＫ）、ポリエーテルエーテルケトン（ＰＥＥＫ）、ポリアリールケトン（ＰＡＥＫ）、脂肪族ポリケトン（ＡＰＫ）等のケトン系樹脂、ポリスルホン（ＰＳＦ）、ポリエーテルスルホン（ＰＥＳ）等のスルホン系樹脂、ポリベンズイミダゾール（ＰＢＩ）；ポリパラバン酸（ＰＰＡ）レーヨン、セロファン、セルロースエステル、酢酸セルロース、三酢酸セルロース、セルロースエーテル、エチルセルロース等の多糖類、ガラス繊維強化熱可塑性プラスチック（ＦＲＴＰ）類���挙げることができる。
【００１５】
また、本発明の操作シートを構成するその他の素材としては、例えば、熱硬化性樹脂を採用することもできる。具体的には、フェノール樹脂（ＰＦ）、ユリア樹脂（ＵＦ）、メラミン樹脂（ＭＦ）、不飽和ポリエステル（ＵＰ）、アルキド樹脂、シリコーン樹脂（ＳＩ）、エポキシ樹脂（ＥＰ）、ウレタン樹脂（ＰＵＲ）、ポリビニルエステル、ポリフタル酸ジアリル（ＰＤＡＰ）、ポリイミド（ＰＩ）、ビスマレイミド・トリアジン樹脂（ＢＴレジン）、フラン樹脂（ＦＦ）、キシレン樹脂、グアナミン樹脂、マレイン樹脂、ジシクロペンタジエン樹脂（ＤＣＰＤ）、熱硬化性強化プラスチック（ＦＲＰ）等を挙げることができる。
【００１６】
本発明において、「下層部」とは、上記操作シートの裏面に配置され、上記操作シートと一体になって本発明のスイッチパネルを構成する部材を意味する。下層部は、少なくとも操作シートの操作キーの裏側にある。操作シートに区分け部の構成部位を形成している場合には、その構成部位の下方にも下層部が配置される。
【００１７】
本発明の下層部を形成する素材は、本発明の下層部として利用可能な限り、特に限定されるものではない。例えば、本発明の下層部を形成する材料としては、上記で挙げた操作シートの材料と同様に、ＡＢＳ樹脂等の多種多様の材料を用いることができる。
【００１８】
さらに、本発明の下層部を構成する素材としては、例えば、ポリオレフィン系ポリマーアロイ、ポリスチレン系ポリマーアロイ、ポリ塩化ビニル系ポリマーアロイ、ポリフェニレンエーテル系ポリマーアロイ、ポリカーボネート系ポリマーアロイ、ポリアミド系ポリマーアロイ、ポリブチレンテレフタレート系ポリマーアロイ、ポリアセタール系ポリマーアロイ、ポリフェニレンスルフィド系ポリマーアロイ等のポリマーアロイ、天然ゴム、イソプレンゴム（ＩＲ）、スチレン／ブタジエンゴム（ＳＢＲ）、ブタジエンゴム（ＢＲ）、エチレン／プロピレンゴム（ＥＰＲ＆ＥＰＤＭ）、クロロプレンゴム（ＣＲ）、アクリロニトリル・ブタジエンゴム（ＮＢＲ）、アクリルゴム（ＡＣＭ）、ウレタンゴム（Ｕ）、クロロスルホン化ポリエチレン（ＣＳＭ）、シリコーンゴム、多硫化ゴム、ブチルゴム（ＩＩＲ）、フッ素ゴム、熱可塑性エラストマー（ＴＰＥ）等のゴムを挙げることができる。
【００１９】
本発明における区分け部は、各操作キーを区分けする部分であって、操作シートの一部と下層部の一部から構成される部分あるいは下層部若しくは操作シートの一部からのみ構成される部分である。このような区分け部の形状としては、例えば、半円形、台形、三角形、四角形、半楕円形等の凸形状、凹形状、波形形状、Ｗ字型の線等を挙げることができる。また、本発明における区分け部は、操作キーの周囲の一部または全部を囲むように配置され、操作キー同士が隣り合う場合には、当該隣り合う操作キー同士の境界線を構成する。
【００２０】
本発明に係るスイッチパネルを構成する操作シート及び下層部は、好適には射出成形によって製造される。「射出成形」とは、金型内に溶融状態の樹脂を射出した後に金型を外して、所望形状の樹脂成形体を製造する方法である。本発明に係るスイッチパネルを製造するには、例えば、所定形状に予め加工した操作シートを射出成形用の金型の中に装填し、下層部を形成するための樹脂を当該金型の内部に射出し、操作シートと下層部とを一体化させると良い。この場合、所定形状の操作シートは、必要に応じて、下記のような真空成形により、予め立体的な形状に成形しておくことができる。また、外形、スリット、穴などを抜き金型などを使用して切断して、操作シートを製造しても良い。
【００２１】
また、本発明に係るスイッチパネルを構成する操作シート及び下層部を真空成形にて製造することもできる。「真空成形」とは、軟化状態の樹脂を金型に配置して、その樹脂と金型との間の空間を真空にすることによって、樹脂を金型に吸い付けて成形する方法をいい、金型への樹脂の供給方法は問わない。したがって、シート形状の樹脂を金型に配置したり、あるいは溶融状態の樹脂を金型に吐出しても良い。真空成形の例としては、雌型を用いるストレート法、雄型によるドレープ法、樹脂シートを半球状にふくらませてその中に雄型を入れて成形するエアスリップ法、エアスリップ法で用いられる雄型の代わりに雌型を用いるリバースドロー法、雌型上にクランプした樹脂シートをプラグで雌型に突き降ろし、樹脂シートを予張して真空にひく補助プラグ法などが挙げられるが、これらに限定されるものではない。また、真空成形以外に、樹脂側から金型方向にガス圧を及ぼして成形する圧空成形、当該圧空成形と真空成形の両方を組み合わせた圧空真空成形によって製造することもできる。また、真空成形、圧空成形、圧空真空成形以外の成形方法を採用しても良い。
【発明の効果】
【００２２】
本発明によれば、薄型で、操作キーの配置上の問題が無く、かつ操作キーの誤動作の少ないスイッチパネルを提供できる。
【発明を実施するための最良の形態】
【００２３】
以下、本発明に係るスイッチパネルの好適な実施の形態について、図面を参照しながら説明するが、本発明はかかる実施の形態に限定されない。
【００２４】
（第１の実施の形態）
図１は、第１の実施の形態に係るスイッチパネル３を、最表面側の操作シート１とその下方に配置される下層部２とに分解した状態を示す分解斜視図である。また、図２は、第１の実施の形態に係るスイッチパネル３の斜視図である。
【００２５】
本発明の第１の実施の形態に係るスイッチパネル３は、略同一外形を有する操作シート１と下層部２とを貼り合わせた構造を有している。操作シート１と下層部２は、共に、ＡＢＳ樹脂で構成されている。ただし、操作シート１と下層部２とを別の種類の樹脂で構成しても良い。操作シート１と下層部２との貼り合わせは、接着剤、熱融着あるいは両面テープ等を好適に用いて実現できる。操作シート１上には、「０」から「９」、アスタリスク（＊）およびシャープ（＃）用の合計１２個の操作キー１１ａと、その上部に配置される略円形状の上下左右操作用の操作キー１１ｂと、操作キー１１ｂの左右にそれぞれ上下に分かれて配置される操作キー１１ｃと、操作キー１１ｂの中心部に配置される操作キー１１ｄとからなる操作キー１１が配置されている。以後、操作キー１１ａ，１１ｂ，１１ｃ，１１ｄを総称する際には、「操作キー１１」という。
【００２６】
操作キー１１ａは、波線状の凸部１０ａでそれぞれ隣り合う操作キー１１ａと仕切られている。凸部１０ａは、操作キー１１ａを完全に囲まず、部分的に接するように配置されている。操作キー１１ｂは、円形線状の凸部１０ｂで囲まれるように仕切られている。操作キー１１ｂの中心部には、凸部１０ｂより小さい円形破線状の凸部１０ｄが形成されている。凸部１０ｄの内部には、操作キー１１ｄが配置されている。操作キー１１ｂの左右に位置する操作キー１１ｃは、いずれも直線状の凸部１０ｃで仕切られている。以後、凸部１０ａ，１０ｂ，１０ｃ，１０ｄを総称する際には、「凸部１０」という。
【００２７】
下層部２における操作シート１と貼り合わせる側の面（表側の面）には、操作シート１上の凸部１０ａ、１０ｂ、１０ｃおよび１０ｄにそれぞれ対応する位置で、かつそれぞれに対応する形状にて表側の面に突出する凸部２０ａ、２０ｂ、２０ｃおよび２０ｄを有する。以後、凸部２０ａ，２０ｂ，２０ｃ，２０ｄを総称する際には、「凸部２０」という。また、下層部２における操作シート１上の各操作キー１１と対応する部位には、裏面側に突出する押圧伝達部２１を有する。各押圧伝達部２１は、各操作キー１１の押し動作を下方に伝達させ、下層部２の裏側に配置されるスイッチを押すための部位である。
【００２８】
図３は、図２に示すスイッチパネル３をＡ−Ａ線（一点鎖線）にて切断した際の断面図である。また、図４は、図３の一点鎖線で囲った部分Ｂの拡大図である。なお、図３以降の図では、見やすさを考慮して、操作シート１の領域を白抜きで示し、斜線で示す下層部２と区別しやすくしている。
【００２９】
操作シート１と下層部２とを貼り合わせた状態では、凸部１０と凸部２０も貼り合わせた状態になり、区分け部３０となる。図４に示すように、下層部２において、凸部２０の厚さは、操作キー１１の下方の部位の厚さに比べて薄い。一方、操作シート１は、部位を問わず、ほぼ同じ厚さである。このため、凸部１０と凸部２０とから構成される区分け部３０の厚さｔ１は、操作キー１１の部位の厚さｔ２よりも薄い。
【００３０】
したがって、操作キー１１を押した際に、操作キー１１の厚さよりも薄い区分け部３０が歪み、他の操作キー１１を引っ張って誤動作させることなく、スイッチのオン／オフを行うことができる。
【００３１】
操作キー１１における操作シート１と下層部２とを合わせた厚みｔ２（ただし、押圧伝達部２１の部位を除く）は、０．５ｍｍ以上１．５ｍｍ以下の範囲とするのが好ましい。０．５ｍｍ以上の厚みとすると、操作キー１１が撓みにくく、操作感が良くなる。また、指による操作を繰り返しても、へこみや傷が付きにくくなる。また、１．５ｍｍ以下の厚みとすると、薄型化を図る上で有利となる。
【００３２】
また、区分け部３０における操作シート１と下層部２とを合わせた厚みｔ１は、０．１ｍｍ以上０．４ｍｍ以下の範囲とするのが好ましい。０．１ｍｍ以上の厚みとすると、区分け部３０が切れにくくなる。また、０．４ｍｍ以下の厚みとすると、操作キー１１の押し動作が容易になる。
【００３３】
図５は、操作キー１１の押し動作前後の区分け部３０周辺の状態を模式的に拡大して示す図である。太実線で示す状態は操作キー１１を押す前の状態であり、太点線で示す状態は矢印Ｃで示す方向に操作キー１１を押した後の状態である。
【００３４】
図５に示すように、ある区分け部３０の湾曲している部分の長さをＹ、当該区分け部３０の幅をＸ、当該区分け部３０に隣接する操作キー１１の押し込み長さをａとする。操作キー１１を矢印Ｃの方向に押し込むと、当該区分け部３０は、（Ｘ２＋ａ２）１／２という距離の部分へと変形移動する。この場合、Ｙが（Ｘ２＋ａ２）１／２以上の長さになるように区分け部３０を形成すると、操作キー１１の押し動作によって、隣接する操作キー１１まで引っ張って誤動作を生じさせる危険性が低くなる。
【００３５】
（第２の実施の形態）
次に、本発明に係るスイッチパネルの第２の実施の形態について説明する。なお、第１の実施の形態と共通する部分については、同じ符号を付して、その説明を省略する。
【００３６】
図６は、第２の実施の形態に係るスイッチパネル４を、図２で示すＡ−Ａ線と同様の線で切断した断面図である。
【００３７】
第２の実施の形態に係るスイッチパネル４は、操作シート１と下層部２とを貼り合わせた構造を有している。操作シート１には、操作キー１１を区分けするための凹部１２が設けられている。また、下層部２には、凹部１２と対応する位置に、かつ対応する大きさの凹部２２が形成されている。操作シート１と下層部２とを貼り合わせた状態において、凹部１２と凹部２２も貼り合わせられ、区分け部３２を形成する。
【００３８】
スイッチパネル４において、第１の実施の形態に係るスイッチパネル３と異なる点は、区分け部３２の形状が、区分け部３０と異なり、裏側にへこんでいることである。図６に示すように、区分け部３２が凹形状であっても、操作キー１１の押し動作の際に歪み、隣接する操作キー１１を引っ張って誤動作に至る危険性は低くなる。
【００３９】
（第３の実施の形態）
次に、本発明に係るスイッチパネルの第３の実施の形態について説明する。なお、第１の実施の形態と共通する部分については、同じ符号を付して、その説明を省略する。
【００４０】
図７は、第３の実施の形態に係るスイッチパネル５を、図２で示すＡ−Ａ線と同様の線で切断した断面図である。
【００４１】
第３の実施の形態に係るスイッチパネル５は、操作シート１と下層部２とを貼り合わせた構造を有している。操作シート１には、操作キー１１を区分けするための波形部１３が設けられている。また、下層部２には、波形部１３と対応する位置に、かつ対応する大きさの波形部２３が形成されている。操作シート１と下層部２とを貼り合わせた状態において、波形部１３と波形部２３も貼り合わせられ、区分け部３３を形成する。
【００４２】
スイッチパネル５において、第１の実施の形態に係るスイッチパネル３および第２の実施の形態に係るスイッチパネル４と異なる点は、区分け部３３の形状が、区分け部３０，３２と異なり、凹凸のある波形の形状であることである。図７に示すように、区分け部３３が波形の形状であっても、操作キー１１の押し動作の際に歪み、隣接する操作キー１１を引っ張って誤動作に至る危険性は低くなる。
【００４３】
（第４の実施の形態）
次に、本発明に係るスイッチパネルの第４の実施の形態について説明する。なお、第１の実施の形態と共通する部分については、同じ符号を付して、その説明を省略する。
【００４４】
図８は、第４の実施の形態に係るスイッチパネル６を、図２で示すＡ−Ａ線と同様の線で切断した断面図である。
【００４５】
第４の実施の形態に係るスイッチパネル６は、操作シート１と下層部２とを貼り合わせた構造を有している。下層部２には、操作キー１１を区分けするための凸部２４が設けられている。また、操作シート１には、凸部２４を貫通させるための貫通溝１４が形成されている。操作シート１と下層部２とを貼り合わせた状態において、貫通溝１４から凸部２４が突出し、区分け部３４となる。すなわち、区分け部３４は、凸部２４のみから形成されており、この点は、第４の実施の形態が第１から第３の各実施の形態と異なる点である。
【００４６】
図８に示すように、区分け部３４が凸部２４のみから形成されていても、操作キー１１の押し動作の際に歪み、隣接する操作キー１１を引っ張って誤動作に至る危険性は低くなる。なお、凸部２４の天面は、貫通溝１４の表面から突出せずに、操作シート１の厚みの途中の位置にあっても良い。区分け部３４としての好適な厚さは、第１の実施の形態と同様の範囲である。
【００４７】
（第５の実施の形態）
次に、本発明に係るスイッチパネルの第５の実施の形態について説明する。なお、第４の実施の形態と共通する部分については、同じ符号を付して、その説明を省略する。
【００４８】
図９は、第５の実施の形態に係るスイッチパネル７を、図２で示すＡ−Ａ線と同様の線で切断した断面図である。
【００４９】
第５の実施の形態に係るスイッチパネル７は、操作シート１と下層部２とを貼り合わせた構造を有している。操作シート１に設けられた操作キー１５は、ヘアラインの形状の加工溝が入ったキーである。ヘアラインの凹凸の高低差は、５０μｍ以下とするのが好ましいが、これに限定されない。また、操作キー１５の表面に、シボ、スピンカット、切削加工による金属調の装飾等を施しても良い。かかる形態以外については、スイッチパネル７は、第４の実施の形態に係るスイッチパネル６と共通する。
【００５０】
（第６の実施の形態）
次に、本発明に係るスイッチパネルの第６の実施の形態について説明する。なお、第４の実施の形態と共通する部分については、同じ符号を付して、その説明を省略する。
【００５１】
図１０は、第６の実施の形態に係るスイッチパネル８を、図２で示すＡ−Ａ線と同様の線で切断した断面図である。
【００５２】
第６の実施の形態に係るスイッチパネル８は、操作シート１と下層部２とを貼り合わせた構造を有している。下層部２には、操作キー１７を区分けするための凸部２６が設けられている。凸部２６の天面は、凹形状である。また、操作シート１には、凸部２６を貫通させるための貫通溝１６が形成されている。操作シート１と下層部２とを貼り合わせた状態において、貫通溝１６から凸部２６が突出し、区分け部３６となる。すなわち、区分け部３６は、凸部２６のみから形成されており、この点は、第４および第５の各実施の形態と共通する。
【００５３】
スイッチパネル８が第４および第５の各実施の形態と異なる点は、凸部２６の天面がへこんでいることと、操作シート１および下層部２が表側に凸となる形状を有していることである。凸部２６の天面がへこんでいても、操作キー１７の押し動作によって歪み、隣接する操作キー１７を引っ張って誤動作に至る危険性は低くなる。加えて、操作キー１７同士をそのへこみによって区別することができる。また、操作シート１および下層部２が表側に凸の形状であっても、スイッチパネル８は、複数の操作キー１７をパネルの領域に有する以上、略平板状と解釈するものとする。
【００５４】
（第７の実施の形態）
次に、本発明に係るスイッチパネルの第７の実施の形態について説明する。なお、第１の実施の形態と共通する部分については、同じ符号を付して、その説明を省略する。
【００５５】
図１１は、第７の実施の形態に係るスイッチパネル９を、図２で示すＡ−Ａ線と同様の線で切断した断面図である。
【００５６】
第７の実施の形態に係るスイッチパネル９は、操作シート１と下層部２とを貼り合わせた構造を有している。下層部２には、操作キー１１を区分けするための区分け部３８の構成部が設けられておらず、そこには貫通溝２８のみが設けられている。また、操作シート１には、その表面側に突出する凸部１８が設けられている。すなわち、操作キー１１を区分けする区分け部３８は凸部１８のみから構成されている。この点は、下層部２の凸部２４のみから区分け部３４を構成する第４の実施の形態に係るスイッチパネル６と異なる。
【００５７】
図１１に示すように、区分け部３８が凸部１８のみから形成されていても、操作キー１１の押し動作の際に歪み、隣接する操作キー１１を引っ張って誤動作に至る危険性は低くなる。なお、凸部１８の天面は、凹形状であっても良い。区分け部３８としての好適な厚さは、第１の実施の形態と同様の範囲である。
【００５８】
以上、本発明に係るスイッチパネルの好適な各実施の形態について説明したが、本発明はかかる形態に限定されることなく、種々変形を施した形態にて実施可能である。
【００５９】
操作キーを区分けする区分け部は、凸形状、凹形状、波形形状の他に、波形以外の凹凸形状としても良い。また、下層部２をゴムで構成し、操作シート１を樹脂で構成しても良い。
【産業上の利用可能性】
【００６０】
本発明に係るスイッチパネルは、操作キーを有する各種電子機器における操作盤として利用することができる。
【図面の簡単な説明】
【００６１】
【図１】本発明に係るスイッチパネルの第１の実施の形態の分解斜視図である。
【図２】本発明に係るスイッチパネルの第１の実施の形態の斜視図である。
【図３】図２のスイッチパネルをＡ−Ａ線で切断した際の断面図である。
【図４】図３の断面図において一点鎖線で囲った部分Ｂの拡大図である。
【図５】図４に示す操作キーの押し動作前後の区分け部周辺の状態を模式的に拡大して示す図である。
【図６】本発明に係るスイッチパネルの第２の実施の形態の一部を拡大して示す断面図である。
【図７】本発明に係るスイッチパネルの第３の実施の形態の一部を拡大して示す断面図である。
【図８】本発明に係るスイッチパネルの第４の実施の形態の一部を拡大して示す断面図である。
【図９】本発明に係るスイッチパネルの第５の実施の形態の一部を拡大して示す断面図である。
【図１０】本発明に係るスイッチパネルの第６の実施の形態の一部を拡大して示す断面図である。
【図１１】本発明に係るスイッチパネルの第７の実施の形態の一部を拡大して示す断面図である。
【符号の説明】
【００６２】
１      操作シート
２      下層部
３      スイッチパネル
４      スイッチパネル
５      スイッチパネル
６      スイッチパネル
７      スイッチパネル
８      スイッチパネル
９      スイッチパネル
１１    操作キー
１５    操作キー
１７    操作キー
３０    区分け部
３２    区分け部
３３    区分け部
３４    区分け部
３６    区分け部
３８    区分け部
【図１】
0004664186.tif 000002
【図２】
0004664186.tif 000003
【図３】
0004664186.tif 000004
【図４】
0004664186.tif 000005
【図５】
0004664186.tif 000006
【図６】
0004664186.tif 000007
【図７】
0004664186.tif 000008
【図８】
0004664186.tif 000009
【図９】
0004664186.tif 000010
【図１０】
0004664186.tif 000011
【図１１】
0004664186.tif 000012